(57)【要約】【課題】この発明は、サドルの管軸方向両端部に鍔が無くともサドルを管外面に均一に押圧することができ、しかも、管の口径が変化したときには、固定装置に使用している部材を付け替えるだけで対応が可能で、軽量、コンパクトなサドル継手の固定装置を提供する。【解決手段】管にサドル継手を接合する際に、サドルを管に固定するために使用される固定用治具であって、サドルの管軸方向両端部を押圧する押圧体が、サドルの周方向両端部を押圧する可撓性連結体で連結されて方形のサドル押圧具が形成され、押圧体間にはサドル押圧具を管に取り付ける締結具が取着されていることを特徴とする。【選択図】  図１
2004197775.tif 000002
【特許請求の範囲】
【請求項１】
管にサドル継手を接合する際に、サドルを管に固定するために使用される固定用治具であって、サドルの管軸方向両端部を押圧する押圧体が、サドルの周方向両端部を押圧する可撓性連結体で連結されて方形のサドル押圧具が形成され、押圧体間にはサドル押圧具を管に取り付ける締結具が取着されていることを特徴とするサドル継手の固定用治具。
【請求項２】
方形のサドル押圧具の押圧体と可撓性連結体との連結部の中、少なくとも一方の押圧体と可撓性連結体との連結部が、可撓性連結体の長さを調節可能に連結されている請求項１記載のサドル継手の固定用治具。
【請求項３】
方形のサドル押圧具の押圧体と可撓性連結体との連結部の中、少なくとも一方の可撓性連結体の押圧体との連結部が、押圧体の長さ方向に移動可能に複数箇所で連結されるようになされている請求項１または請求項２記載のサドル継手の固定用治具。
【請求項４】
可撓性連結体がピンが両側に突出したチェーンであり、押圧体にはチェーンのピンを引っ掛ける係止溝が形成され、押圧体の係止溝に引っ掛けるチェーンのピンを替えることにより、可撓性連結体の長さが調節されるようになされている請求項２または請求項３記載のサドル継手の固定用治具。
【請求項５】
可撓性連結体が長手方向に複数の係止孔を有するバンドであり、押圧体にはバンドの係止孔を係止する係止ピンが突設され、押圧体の係止ピンに係止する係止孔を替えることにより、可撓性連結体の長さが調節されるようになされている請求項２または請求項３記載のサドル継手の固定用治具。
【発明の詳細な説明】
【０００１】
【発明の属する技術分野】
この発明は、管にサドル継手を接合する際に、サドルを管に固定するために使用されるサドル継手の固定用治具に関するものである。
【０００２】
【従来の技術】
従来、ポリエチレン管の配管においては、接着剤による接着で接合することができないため、電気溶着継手を使用して融着する方法が行われている。この方法は継手の管との接合面に抵抗線などの発熱体が埋設されていて、この継手にポリエチレン管を嵌挿接続した状態で、前記発熱体に通電加熱し、継手の管との接合面および管の外表面を溶融させ、融着させるものである。
一方、ポリエチレン管に分岐管を接続するには、管に分岐管との接続口を設け、該接続口に合致するようにサドル継手をポリエチレン管に当てがい、サドルとポリエチレン管の当接面を電気溶着する方法、または、サドル継手を電気溶着した後、サドル継手内に装着されているカッターによりポリエチレン管に接続口を設ける方法等で行われる。
【０００３】
ところで、サドル継手をポリエチレン管に融着接合するためには、ポリエチレン管の外周面にサドル継手の内周円弧面が均一に密着するようにサドル継手をポリエチレン管に押圧するとともに、完全に接合して所定の強度が生起されるまでの間、熱歪に伴う変形などに抗して強固に保持する必要がある。
【０００４】
このことから、サドル継手をポリエチレン管に均一に押圧するための固定装置が提案されている。
例えば、取付部品に向かい合う位置でパイプに係合するように配置されて取付部品の一方の側端縁付近で取付部品に係合する迫持受装置を有するあぶみ装置と、このあぶみ装置に取り付けられて取付部品の他方の側端縁付近で取付部品に係合できるクランプ機構とからなっている固定装置がある（例えば、特許文献１参照。）。
【０００５】
また、この固定装置を改良したものとして、パイプの載置部を形成した基体と、該基体に対して適宜高さに固定可能な昇降体と、操作ハンドルを備えた昇降ロッドを介して前記昇降体に対し昇降自在に固定されたサドルホルダと、該サドルホルダの左右に配置され、前記サドルホルダとの間でスプリングを介して付勢される一対の押圧部とよりなり、前記操作ハンドルを介してサドルホルダを降下させることによりパイプに嵌合されたサドル継手の両フランジおよびブランチを前記押圧部およびサドルホルダによりそれぞれ押圧できるようにしたことを特徴とするサドル継手の固定装置がある（例えば、特許文献２参照。）。
【０００６】
【特許文献１】
特開昭６１−１８４２９５号公報（第１−４頁、第１〜５図）
【特許文献２】
特開平２−１９９３９５号公報（第１−４頁、第１〜３図）
【０００７】
【発明が解決しようとする課題】
しかしながら、特許文献１および２に開示されている固定装置は、いずれも継手のサドルの管軸方向の両端部に鍔を有しているサドル継手の固定装置に関するものである。即ち、サドルの管軸方向両端に鍔があり、この鍔を保持したり、押圧したりして、サドル継手の内周円弧面がポリエチレン管の外周面に均一に密着するようにしており、サドルに鍔が無いと、これらの固定装置ではサドル継手をポリエチレン管に固定できないという致命的な欠陥がある。
【０００８】
また、パイプの口径が大小変化しても使用できるように、特許文献１の固定装置では、種々の曲率のあぶみ部材を用意して、パイプ口径に応じて適当な曲率のあぶみ部材を装置に組み込んで使用したり、特許文献２では、パイプ外径に対応する内径を形成したライナＲを用意し、そのライナＲを基体５の設置部４に配設して使用することが必要となる。
このように、特許文献１および２に開示されている固定装置では、パイプの口径が異なると、その口径に合致した寸法のあぶみ部材やライナに取り替えることが必要となるが、これら寸法の異なるあぶみ部材やライナは口径毎に準備して、装置に付帯して持ち運ばなければならないし、取り替え時には部品を取り替えるという煩雑さを伴うものであった。
【０００９】
【課題を解決するための手段】
この発明は、特許文献１や２に記載のサドル継手の固定装置における欠陥を解消し、サドルの管軸方向両端部に鍔が無くともサドルを管外面に均一に押圧することができ、しかも、管の口径が変化したときには、固定装置に使用している部材を付け替えるだけで対応が可能で、軽量、コンパクトなサドル継手の固定装置を提供することを目的とする。
【００１０】
請求項１記載のサドル継手の固定用治具は、管にサドル継手を接合する際に、サドルを管に固定するために使用される固定用治具であって、サドルの管軸方向両端部を押圧する押圧体が、サドルの周方向両端部を押圧する可撓性連結体で連結されて方形のサドル押圧具が形成され、押圧体間にはサドル押圧具を管に取り付ける締結具が取着されていることを特徴とする。
【００１１】
また、請求項２記載のサドル継手の固定用治具は、請求項１記載のサドル継手の固定用治具において、方形のサドル押圧具の押圧体と可撓性連結体との連結部の中、少なくとも一方の押圧体と可撓性連結体との連結部が、可撓性連結体の長さを調節可能に連結されているものである。
【００１２】
また、請求項３記載のサドル継手の固定用治具は、請求項１または請求項２記載のサドル継手の固定用治具において、方形のサドル押圧具の押圧体と可撓性連結体との連結部の中、少なくとも一方の可撓性連結体の押圧体との連結部が、押圧体の長さ方向に移動可能に複数箇所で連結されるようになされているものである。
【００１３】
また、請求項４記載のサドル継手の固定用治具は、請求項２または請求項３記載のサドル継手の固定用治具において、可撓性連結体がピンが両側に突出したチェーンであり、押圧体にはチェーンのピンを引っ掛ける係止溝が形成され、押圧体の係止溝に引っ掛けるチェーンのピンを替えることにより、可撓性連結体の長さが調節されるようになされているものであり、請求項５記載のサドル継手の固定用治具は、請求項２または請求項３記載のサドル継手の固定用治具において、可撓性連結体が長手方向に複数の係止孔を有するバンドであり、押圧体にはバンドの係止孔を係止する係止ピンが突設され、押圧体の係止ピンに係止する係止孔を替えることにより、可撓性連結体の長さが調節されるようになされているものである。
【００１４】
本発明においては、サドルの管軸方向両端部を押圧する押圧体が、サドルの周方向両端部を押圧する可撓性連結体で連結されて方形のサドル押圧具が形成されている。
サドルの管軸方向両端部を押圧する押圧体としては、金属製、硬質合成樹脂製等の棒体であり、断面が四角形、円形、楕円形等で、サドル継手のサドルの管軸方向の端縁に沿うように曲がっていてもよいが、真っ直ぐであってもよい。
また、サドルの周方向両端部を押圧する可撓性連結体としては、変形はするが伸びの少ないものであればよく、例えば、チェーン、金属薄板製や皮革製のバンド等が好ましい。
【００１５】
そして、サドル押圧具は、この押圧体２個が平行に配置され、両端部側を２本の可撓性連結体で連結されて方形に形成されている。
押圧体と可撓性連結体との連結は、寸法の決まったサドルを固定するものとして使用される場合には、溶接やねじ止めまたはピン止め等で固定されていてもよい。しかし、寸法の異なるサドルに対して、サドル押圧具の大きさを調節可能とするためには、可撓性連結体の長さを調節可能としたり、可撓性連結体の連結位置を押圧体の長さ方向に移動可能に連結されるようになっていることが必要である。このためには、少なくとも一方の押圧体と可撓性連結体との連結部が、可撓性連結体の長さを調節可能に連結されたり、少なくとも一方の可撓性連結体の押圧体との連結部が、押圧体の長さ方向に移動可能に複数箇所で連結されるようになされている。
【００１６】
押圧体と可撓性連結体との連結部をこのように調節可能に連結するには、例えば、可撓性連結体としてピンが両側に突出した突出ピンを有するチェーンを使用し、押圧体にはこのチェーンの突出ピンを引っ掛ける係止溝が形成されていて、係止溝に引っ掛けるチェーンの突出ピンを替えるようにすれば、可撓性連結体の長さを調節可能である。また、係止溝が押圧体の長さ方向に並設されていて、チェーンの突出ピンを引っ掛ける係止溝の位置を横方向にずらせると可撓性連結体同志の間隔を調節できる。
【００１７】
また、可撓性連結体として、金属薄板製や皮革製のバンドを使用する場合には、バンドに適当間隔ごとに係止孔を設けておき、押圧体にはバンドの係止孔を係止する係止ピンが突設されていて、係止ピンに係止するバンドの係止孔の位置を替えることにより、可撓性連結体の長さの調節が可能である。また、押圧体の長手方向に係止ピンが並設されていて、バンドの係止孔を横方向にずらせると可撓性連結体同志の間隔を調節できる。
【００１８】
上記のように構成される方形のサドル押圧具の押圧体間には、サドル押圧具を管に取り付ける締結具が取着されている。
この締結具としては、サドル継手のサドルの周縁部上に配置された方形のサドル押圧具を管に向けて押圧できるものであればよく、例えば、押圧体のそれぞれにチェーンが取り付けられ、このチェーンの他端に締付けブロックが設けられていて、締付けブロック同志がねじまたはレバーで締付けられるようになっているものが簡易な締結具である。
【００１９】
この締結具は管の太さに対応して長さが調整されるものが必要となるが、一方の締付けブロックとチェーンとの連結を、上記可撓性連結体としてチェーンを使用した場合のチェーンと押圧体との連結と同様に連結したものとすればよい。
即ち、チェーンの他端側に位置するピンが両側に突出した突出ピンであり、締付けブロックにこのチェーンの突出ピンが係止する係止溝が設けられていて、チェーンの長さを調節した位置にある突出ピンを締付けブロックの係止溝に係止する機構のものとすれば、管の太さに対応した長さに容易に調節可能である。
チェーンの長さの調節は、一方のチェーンのみで行えるようにすると、長さの調節を簡単に行うことができるが、双方のチェーンの長さが略同じ長さになるように両方のチェーンと締付けブロックとを調節すると、締付けを均等に行うことができるので、サドル押圧具の周方向への移動がなく、締付けを容易に行うことができる。
【００２０】
本発明のサドル継手の固定用治具の使用に当たっては、サドル継手の口径が異なったり、このサドル継手を接合する管の口径が異なったりするときには、まず、可撓性連結体の長さおよび可撓性連結体同志の間隔を調節した方形のサドル押圧具を形成する。
次いで、管の口径に対応した長さとなるように締結具の長さを調節した上で、サドル押圧具をサドル継手上方から被せるようにして、サドルの周縁部に当てがい、締付けブロックを嵌め合わせて、締付けブロック同志をねじを回転させて締付ければよい。
【００２１】
本発明のサドル継手の固定用治具を使用すると、サドルの管軸方向両端部に鍔が無くともサドルを管外面に均一に押圧することができ、しかも、管の口径が変化したときには、固定用治具に使用している部材を付け替えるだけで対応が可能で、軽量、コンパクトなサドル継手の固定用治具を提供できる。
【００２２】
【発明の実施の形態】
この発明の実施の形態を実施例に基づき図面を参照して説明する。
（実施例１）
図１はこの発明のサドル継手の固定用治具の使用状態の一実施例を示す正面図、図２は図１の平面図である。
図で、１は方形のサドル押圧具であり、押圧体１１、１１と可撓性連結体１２、１２とから構成されている。この実施例では、押圧体１１として断面長方形のアルミニウム鋳物からなる棒体が使用され、可撓性連結体１２として合成樹脂製のローラチェーンが使用されている。
押圧体１１、１１の両端部には複数個の係止溝１１ａが形成され、ローラチェーン１２の一方側のピンはリンクプレートの両側に突出した突出ピン１２ａとなされ、この突出ピン１２ａを押圧体１１の係止溝１１ａに引っ掛けることにより押圧体１１、１１とローラチェーン１２、１２とで方形のサドル押圧具１が形成されている。
【００２３】
ローラチェーン１２、１２の一方の端部には突出ピン１２ａが複数個あり、他方の端部には１個だけで、一方の端部の突出ピン１２ａを替えることにより、ローラチェーン１２の長さが調節されるようになっている。勿論ローラチェーンの両端部に複数個づつの突出ピン１２ａが設けられ、両端部の突出ピン１２ａを同時に替えて長さ調節できるようにしたものであってもよい。
また、ローラチェーン１２、１２の間隔を調節するには、ローラチェーン１２、１２の両側の突出ピン１２ａを係止する係止溝１１ａの位置をずらして引っ掛ければよい。間隔を調節するのに一方のローラチェーン１２のみをずらしてもよいが、両方を均等にずらす方が、この方形のサドル押圧具１を管Ｐに締結具で取り付けるとき、安定して締結できる。
【００２４】
そして、方形のサドル押圧具１を管Ｐに取り付ける締結具２が、押圧体１１、１１の間に取着されている。
締結具２は、可撓性連結体１２と同様のローラチェーン２１と２２が使用され、一方の端部が押圧体１１、１１に取着され、他端側に締付けブロック２３、２４が設けられていて、これら締付けブロック２３と２４は締付けねじ２４ｂで締付けられるようになっている。
押圧体１１へのローラチェーン２１、２２の取付けは、可撓性連結体１２の取付けと同様に押圧体１１に設けられている係止溝１１ｂ、１１ｂに、ローラチェーン２１、２２の一方の端部に設けられた突出ピン２１ａ、２２ａが引っ掛けられて取付けられている。
また、ローラチェーン２１、２２の他端側には、締付けブロック２３、２４が取り付けられている。ローラチェーン２２は一定長さとされ、端部に締付けブロック２４が固定されている。またローラチェーン２１は長さを調節可能とするため、ローラチェーン２１の端部側のピンが突出ピン２１ｂとなされ、締付けブロック２３には係止溝２３ａが設けられていて、この係止溝２３ａに係止する突出ピン２１ｂを替えることにより、ローラチェーン２１と２２および締付けブロック２３と２４とからなる締結具２の長さが変更されるようになっている。
【００２５】
尚、締付けねじ２４ｂは、その先端部が締付けブロック２３に回動自在に取り付けられ、締付けねじ２４ｂの中間位置に設けられている円柱雌ねじ２４ａを締付けブロック２４の挿入溝２４ｃに挿入できるようになっていて、円柱雌ねじ２４ａを挿入溝２４ｃに挿入した状態で、締付けねじ２４ｂを回転させると、締付けブロック２３と２４が近接する方向に移動して、締結具２が管Ｐの廻りに締付けられ、サドル継手のサドルを管Ｐに締付けることができる。
【００２６】
また、図示の例では、締結具２が押圧体１１、１１の間に一箇所設けられているものであるが、締付けた状態を安定させるには、押圧体の両端部近くの二箇所に締結具２を取着するのがよい。また、押圧体１１と可撓性連結体１２との取付け位置よりも外側に締結具２を取り付けるようにするとより安定して締付けることができる。
【００２７】
また、この実施例では、可撓性連結体１２や締結具２として合成樹脂製のローラチェーンを使用した。これはこの発明の固定用治具の使用時にサドルやポリエチレン管を押圧して傷付くのを防止するためであるが、金属製のローラチェーンであってもよい。この場合には、ローラチェーンとサドルやポリエチレン管との間に傷付き防止用のシートを巻き付けておけばよい。
【００２８】
（実施例２）
図３はこの発明のサドル継手の固定用治具の他の実施例を、一部を分離して示す部分説明図である。
この実施例は、方形のサドル押圧具を構成する可撓性連結体として金属バンド４を使用したものであり、図３は押圧体３と金属バンド４との連結状態を説明するためのものである。
押圧体３の端部には、長手方向に複数個の係止ピン３１が突設され、一方、金属バンド４の両端部には、係止孔４１が適宜間隔ごとに設けられていて、金属バンド４の係止孔４１を押圧体３の係止ピン３１に係止することにより、方形のサドル押圧具が形成される。
金属バンド４の係止孔４１の位置を選定して係止ピン３１に係止することにより、金属バンド４の長さの調節ができ、金属バンド４の係止孔４１を係止する押圧体３の係止ピン３１を選定することにより、金属バンド４、４の間隔を調節できる。
係止孔４１が係止ピン３１に係止されると、係止ピン３１に設けられている離脱防止手段が作用して簡単には離脱しない工夫がなされ、離脱防止手段を解除すると簡単に分離できるようになされている。
【００２９】
【発明の効果】
本発明のサドル継手の固定用治具を使用すると、サドルの管軸方向両端部に鍔が無くともサドルを管外面に均一に押圧することができ、しかも、管の口径が変化したときには、固定用治具に使用している部材を付け替えるだけで対応が可能で、軽量、コンパクトなサドル継手の固定用治具を提供できる。
【図面の簡単な説明】
【図１】この発明のサドル継手の固定用治具の使用状態の一実施例を示す正面図である。
【図２】図１の平面図である。
【図３】この発明のサドル継手の固定用治具の他の実施例を、一部を分離して示す部分説明図である。
【符号の説明】
１        方形のサドル押圧具
１１      押圧体
１１ａ、１１ｂ    係止溝
１２      可撓性連結体（ローラチェーン）
１２ａ    突出ピン
２        締結具
２１、２２    ローラチェーン
２１ａ、２２ａ    突出ピン
２１ｂ    突出ピン
２３、２４    締付けブロック
２４ｂ    締付けねじ
３        押圧体
３１      係止ピン
４        金属バンド
４１      係止孔４１
【図１】
2004197775.tif 000003
【図２】
2004197775.tif 000004
【図３】
2004197775.tif 000005